【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
撮影画面内において主要被写体が存在する領域を追尾領域として設定する追尾領域設定手段と、
前記追尾領域に対応する像出力に基づいて前記主要被写体を追尾する追尾手段と、
前記追尾領域内の中央部に対応する像出力に基づいて撮影条件を演算する演算手段とを備えることを特徴とする被写体追尾装置。
【請求項２】
請求項１に記載の被写体追尾装置において、
撮影した画像データを縮小変換し、縮小変換した画像データを出力する縮小画像変換手段をさらに備え、
前記追尾手段は、前記縮小変換した画像データを用いて前記主要被写体の移動を追尾することを特徴とする被写体追尾装置。
【請求項３】
請求項１または２に記載の被写体追尾装置において、
前記追尾領域設定手段は、前記撮影画面の中央部に存在する被写体に対応する領域を前記追尾領域として設定することを特徴とする被写体追尾装置。
【請求項４】
請求項１乃至３のいずれか一項に記載の被写体追尾装置において、
前記追尾領域内の部分領域に対応する領域を示す指標を前記撮像画面内に表示する表示手段をさらに備えることを特徴とする被写体追尾装置。
【請求項５】
請求項１乃至４のいずれか一項に記載の被写体追尾装置を備えることを特徴とする光学機器。
【請求項６】
光学機器であって、
請求項４に記載の被写体追尾装置を備え、
前記被写体追尾装置は、前記追尾領域内の部分領域に対応する領域を示す指標を前記撮像画面内に表示する表示手段をさらに備え、
前記撮影画面に設定されて前記被写体に対する焦点検出を行う位置を示す焦点検出領域を備え、
前記指標は、前記追尾領域内に存在する焦点検出領域を用いることを特徴とする光学機器。
【請求項７】
請求項６に記載の光学機器において、
前記追尾領域設定手段は、選択された前記焦点検出領域に対応する領域を前記追尾領域として設定することを特徴とする光学機器。
【請求項８】
追尾領域に対応する像出力に基づいて前記主要被写体を追尾する処理と、
前記追尾領域内の中央部に対応する像出力に基づいて撮影条件を演算する処理を光学機器のコンピュータに実行させるための被写体追尾プログラム。
【請求項９】
第１の撮影画像内において被写体が存在する領域の画像データを第１の追尾領域として設定するとともに、前記第１の撮影画像よりも後に取得された第２の撮影画像において前記第１の追尾領域の前記画像データに対応する画像データが存在する領域を第２の追尾領域として設定することで前記被写体を追尾する追尾手段と、
前記第２の追尾領域の中央部に対応する情報を用いて撮影条件を演算する演算手段とを含むことを特徴とする被写体追尾装置。
【請求項１０】
請求項９に記載された被写体追尾装置において、
前記演算手段は、前記第２の追尾領域の中央の画像データを用いて露出演算を行うことを特徴とする被写体追尾装置。
【請求項１１】
請求項９に記載された被写体追尾装置において、
前記演算手段は、複数の焦点検出領域のうち、前記第２の追尾領域の中央に最も近い前記焦点検出領域を用いて焦点検出演算を行う焦点検出演算手段を備えることを特徴とする被写体追尾装置。
【請求項１２】
請求項１に記載された被写体追尾装置において、
前記演算手段は、前記追尾領域の中央部近傍に対応する像出力を用いて撮影条件を演算することを特徴とする被写体追尾装置。
【請求項１３】
請求項１２に記載された被写体追尾装置において、
前記追尾領域の中央部を示す指標を表示する表示手段を備えることを特徴とする被写体追尾装置。
【請求項１４】
請求項９に記載された被写体追尾装置において、
前記演算手段は、前記第２の追尾領域の中央部近傍に対応する情報を用いて撮影条件を演算することを特徴とする被写体追尾装置。
【請求項１５】
請求項１４に記載された被写体追尾装置において、
前記第２の追尾領域内の中央部を示す指標を表示する表示手段を備えることを特徴とする被写体追尾装置。
【請求項１６】
第１の撮影画像内において被写体が存在する領域の画像データを第１の追尾領域として設定するとともに、前記第１の撮影画像よりも後に取得された第２の撮影画像において前記第１の追尾領域の前記画像データに対応する画像データが存在する領域を第２の追尾領域として設定することで前記被写体を追尾する追尾手段と、
少なくとも前記第２の追尾領域の中央部に対応する情報、及び、前記第２の追尾領域の中央部近傍に対応する情報の一方を用いて撮影条件を演算する演算手段とを含むことを特徴とする被写体追尾装置。
【請求項１７】
請求項１６に記載された被写体追尾装置において、
前記演算手段は、前記第２の追尾領域の中央部に対応する情報、及び、前記第２の追尾領域の中央部近傍に対応する情報のうち、コントラストが高い方の情報を用いて撮影条件を演算することを特徴とする被写体追尾装置。
【請求項１８】
請求項１６に記載された被写体追尾装置において、
前記演算手段は、前記第２の追尾領域の中央部に重み付けをして撮影条件を演算することを特徴とする被写体追尾装置。
【請求項１９】
第１の撮影画像内において被写体が存在する領域の画像データを第１の追尾領域として設定するとともに、前記第１の撮影画像よりも後に取得された第２の撮影画像において前記第１の追尾領域の前記画像データに対応する画像データが存在する領域を第２の追尾領域として設定することで前記被写体を追尾する追尾手段と、
前記第２の追尾領域の中央部に対応する情報、及び、前記第１の撮影画像の撮像時から前記第２の撮影画像の撮像時までに前記被写体が移動する方向に対応する情報を用いて撮影条件を演算する演算手段とを含むことを特徴とする被写体追尾装置。
【請求項２０】
請求項１９に記載された被写体追尾装置において、
前記演算手段は、前記第２の追尾領域の中央部近傍に対応する情報を用いて撮影条件を演算することを特徴とする被写体追尾装置。
【請求項２１】
請求項１９に記載された被写体追尾装置において、
前記第２の追尾領域内の中央部を示す指標を表示する表示手段を備えることを特徴とする被写体追尾装置。
【請求項２２】
請求項１に記載された被写体追尾装置を備えることを特徴とする光学機器。
【手続補正２】
【補正対象書類名】明細書
【補正対象項目名】発明の名称
【補正方法】変更
【補正の内容】
【発明の名称】被写体追尾装置、被写体追尾プログラムおよび光学機器
【手続補正３】
【補正対象書類名】明細書
【補正対象項目名】０００１
【補正方法】変更
【補正の内容】
【０００１】
本発明は、被写体追尾装置、被写体追尾プログラムおよび光学機器に関する。
【手続補正４】
【補正対象書類名】明細書
【補正対象項目名】０００４
【補正方法】変更
【補正の内容】
【０００４】
請求項１の発明は、被写体追尾装置に適用され、撮影画面内において主要被写体が存在する領域を追尾領域として設定する追尾領域設定手段と、追尾領域に対応する像出力に基づいて主要被写体を追尾する追尾手段と、追尾領域内の中央部に対応する像出力に基づいて撮影条件を演算する演算手段とを備えることを特徴とするものである。
請求項２の発明は、請求項１に記載の被写体追尾装置において、撮影した画像データを縮小変換し縮小変換した画像データを出力する縮小画像変換手段をさらに備え、追尾手段は、縮小変換した画像データを用いて主要被写体の移動を追尾することを特徴とするものである。
請求項３の発明は、請求項１または２に記載の被写体追尾装置において、追尾領域設定手段は、撮影画面の中央部に存在する被写体に対応する領域を追尾領域として設定することを特徴とするものである。
請求項４の発明は、請求項１乃至３のいずれか一項に記載の被写体追尾装置において、追尾領域内の部分領域に対応する領域を示す指標を撮像画面内に表示する表示手段をさらに備えることを特徴とするものである。
請求項５の発明は、光学機器に適用され、請求項１乃至４のいずれか一項に記載の被写体追尾装置を備えることを特徴とするものである。
請求項６の発明は、光学機器に適用され、請求項４に記載の被写体追尾装置を備え、被写体追尾装置は、追尾領域内の部分領域に対応する領域を示す指標を撮像画面内に表示する表示手段をさらに備え、撮影画面に設定されて被写体に対する焦点検出を行う位置を示す焦点検出領域を備え、指標は、追尾領域内に存在する焦点検出領域を用いることを特徴とするものである。
請求項７の発明は、請求項６に記載の光学機器において、追尾領域設定手段は、選択された焦点検出領域に対応する領域を追尾領域として設定することを特徴とするものである。
請求項８の発明は、被写体追尾プログラムに適用され、追尾領域に対応する像出力に基づいて主要被写体を追尾する処理と、追尾領域内の中央部に対応する像出力に基づいて撮影条件を演算する処理を光学機器のコンピュータに実行させるための被写体追尾プログラムとするものである。
請求項９の発明は、被写体追尾装置に適用され、第１の撮影画像内において被写体が存在する領域の画像データを第１の追尾領域として設定するとともに、第１の撮影画像よりも後に取得された第２の撮影画像において第１の追尾領域の画像データに対応する画像データが存在する領域を第２の追尾領域として設定することで被写体を追尾する追尾手段と、第２の追尾領域の中央部に対応する情報を用いて撮影条件を演算する演算手段とを含むことを特徴とするものである。
請求項１０の発明は、請求項９に記載された被写体追尾装置において、演算手段は、第２の追尾領域の中央の画像データを用いて露出演算を行うことを特徴とするものである。
請求項１１の発明は、請求項９に記載された被写体追尾装置において、演算手段は、複数の焦点検出領域のうち、第２の追尾領域の中央に最も近い焦点検出領域を用いて焦点検出演算を行う焦点検出演算手段を備えることを特徴とするものである。
請求項１２の発明は、請求項１に記載された被写体追尾装置において、演算手段は、追尾領域の中央部近傍に対応する像出力を用いて撮影条件を演算することを特徴とするものである。
請求項１３の発明は、請求項１２に記載された被写体追尾装置において、追尾領域の中央部を示す指標を表示する表示手段を備えることを特徴とするものである。
請求項１４の発明は、請求項９に記載された被写体追尾装置において、演算手段は、第２の追尾領域の中央部近傍に対応する情報を用いて撮影条件を演算することを特徴とするものである。
請求項１５の発明は、請求項１４に記載された被写体追尾装置において、第２の追尾領域内の中央部を示す指標を表示する表示手段を備えることを特徴とするものである。
請求項１６の発明は、被写体追尾装置に適用され、第１の撮影画像内において被写体が存在する領域の画像データを第１の追尾領域として設定するとともに、第１の撮影画像よりも後に取得された第２の撮影画像において第１の追尾領域の画像データに対応する画像データが存在する領域を第２の追尾領域として設定することで被写体を追尾する追尾手段と、少なくとも第２の追尾領域の中央部に対応する情報、及び、第２の追尾領域の中央部近傍に対応する情報の一方を用いて撮影条件を演算する演算手段とを含むことを特徴とするものである。
請求項１７の発明は、請求項１６に記載された被写体追尾装置において、演算手段は、第２の追尾領域の中央部に対応する情報、及び、第２の追尾領域の中央部近傍に対応する情報のうち、コントラストが高い方の情報を用いて撮影条件を演算することを特徴とするものである。
請求項１８の発明は、請求項１６に記載された被写体追尾装置において、演算手段は、第２の追尾領域の中央部に重み付けをして撮影条件を演算することを特徴とするものである。
請求項１９の発明は、被写体追尾装置に適用され、第１の撮影画像内において被写体が存在する領域の画像データを第１の追尾領域として設定するとともに、第１の撮影画像よりも後に取得された第２の撮影画像において第１の追尾領域の画像データに対応する画像データが存在する領域を第２の追尾領域として設定することで被写体を追尾する追尾手段と、第２の追尾領域の中央部に対応する情報、及び、第１の撮影画像の撮像時から第２の撮影画像の撮像時までに被写体が移動する方向に対応する情報を用いて撮影条件を演算する演算手段とを含むことを特徴とするものである。
請求項２０の発明は、請求項１９に記載された被写体追尾装置において、演算手段は、第２の追尾領域の中央部近傍に対応する情報を用いて撮影条件を演算することを特徴とするものである。
請求項２１の発明は、請求項１９に記載された被写体追尾装置において、第２の追尾領域内の中央部を示す指標を表示する表示手段を備えることを特徴とするものである。
請求項２２の発明は、光学機器に適用され、請求項１に記載された被写体追尾装置を備えることを特徴とするものである。
【手続補正５】
【補正対象書類名】明細書
【補正対象項目名】０００５
【補正方法】変更
【補正の内容】
【０００５】
本発明によれば、被写体追尾を好適に実現し得る被写体追尾装置、被写体追尾プログラムおよび光学機器を提供し得る。